(57)【要約】      （修正有）【課題】新たな部品を追加せずにオーバーチャージ量を吸収できるバリア装置を得ることで低コスト化、薄型化を可能とすると共に、耐久性に富み信頼性に優れた、カメラのバリア装置を得る。【解決手段】カメラのレンズ鏡胴の前端部に配置される地板１と、地板１に形成された開口部を開閉するバリア部材２と、バリア部材２を開方向に付勢する付勢部材４と、地板１に保持され回動可能なバリア駆動部材３と、を有し、バリア駆動部材３の回動によりバリア部材２を開閉動作させるカメラのレンズバリア装置であって、付勢部材４は、ねじりコイルバネであり、コイル部をバリア部材２と係合させ、一方の端部を地板１に、他方の端部をバリア駆動部材３に張設する。【選択図】図１
2006171405.tif 000002
【特許請求の範囲】
【請求項１】
カメラのレンズ鏡胴の前端部に配置される地板と、前記地板に形成された開口部を開閉するバリア部材と、前記バリア部材を開方向に付勢する付勢部材と、前記地板に保持され回動可能なバリア駆動部材と、を有し、前記バリア駆動部材の回動により前記バリア部材を開閉動作させるカメラのレンズバリア装置であって、
前記付勢部材は、ねじりコイルバネであり、前記ねじりコイルバネのコイル部を前記バリア部材と係合させ、前記ねじりコイルバネの一方の端部を前記地板に、他方の端部を前記バリア駆動部材に張設したことを特徴とするカメラのレンズバリア装置。
【請求項２】
前記バリア部材は前記地板に形成された支軸に軸支され、前記ねじりコイルバネの一方の端部を前記支軸に張設したことを特徴とする請求項１に記載のカメラのレンズバリア装置。
【発明の詳細な説明】
【技術分野】
【０００１】
本発明は、撮影レンズを保護するために、撮影レンズ前方に設けられたカメラのレンズバリア装置に関するものである。
【背景技術】
【０００２】
従来より、携帯時等の撮影を行わないときに、撮影レンズ鏡胴の前端部に配置されたバリアを閉鎖し、撮影レンズ保護をおこなうカメラが一般的である。また、このようなバリアは、撮影レンズ鏡胴の沈胴時に機械的に連動して開閉動作がなされるものが一般的である。
【０００３】
レンズ鏡胴の前端部に配置されたバリア装置は、バリアとの係合部を有し回動することによりバリアを閉じさせるバリア駆動部材が設けられており、このバリア駆動部材は、沈胴動作時に係合する係合部材によって回動させられるようになっている。また、バリアは、撮影レンズ鏡胴が繰り出されると、バリア駆動部材と係合部材の係合が解かれるため、付勢部材により開方向に付勢されているのが一般的である。
【０００４】
このような構成の場合、バリア閉時にバリア部材に僅かな隙間を生じたり、がたついたりしないように、バリア駆動リングの駆動ストロークをバリア羽根の作動ストロークより多めに設定する、即ち、バリア駆動リングにオーバーストロークを持たせること（オーバーチャージとも称す）が行われており、このオーバーストロークを吸収する機構について提案がなされている。
【０００５】
このオーバーストロークを吸収する機構に関し、２枚のバリア部材と、このバリア部材に連動連結されたバリア連動板と、このバリア連動板とバリア駆動板とをバネで連結し、バリア駆動板と地板とをバネで連結した構成にして、オーバーストロークを吸収するものが開示されている（例えば、特許文献１参照）。
【０００６】
また、バリア部材に係合し、回動によりバリア部材を駆動する駆動部材の一部を可撓性を有するよう形成し、この可撓性を有する部位でオーバーストロークを吸収するものが開示されている（例えば、特許文献２参照）。
【特許文献１】特開平７−２８１３０号公報
【特許文献２】特開平１０−６２８３９号公報
【発明の開示】
【発明が解決しようとする課題】
【０００７】
上記の特許文献１及び２に記載のバリア装置は、２枚のバリアに対し、使用するバネは２本であり、組み込み工数の削減には効果を奏するものである。
【０００８】
しかしながら、特許文献１に記載のバリア装置は、オーバーチャージの吸収のために光軸回りに回動する部品としてバリア連動板と、バリア駆動板の２部品を要しており、新たな部品の追加によるコスト増の原因となる。更に、板状のバリア連動板と、バリア駆動板を重ねて使用するため、厚みが増加し薄型化には、不利である。
【０００９】
また、特許文献２に記載のバリア装置は、設定されるオーバーストローク量のバラツキを小さくする必要があり、オーバーストローク量の大きいものが発生すると、可撓性を有した部位が弾性限界を超え、塑性変形もしくは亀裂等を生じる恐れがあり、耐久性にやや問題がある。
【００１０】
本発明は上記問題に鑑み、新たな部品を追加せずにオーバーチャージ量を吸収できるバリア装置を得ることで低コスト化、薄型化を可能とすると共に、耐久性に富み信頼性に優れた、カメラのバリア装置を得ることを目的とするものである。
【課題を解決するための手段】
【００１１】
上記の目的は、以下の構成により解決される。
【００１２】
１）カメラのレンズ鏡胴の前端部に配置される地板と、前記地板に形成された開口部を開閉するバリア部材と、前記バリア部材を開方向に付勢する付勢部材と、前記地板に保持され回動可能なバリア駆動部材と、を有し、前記バリア駆動部材の回動により前記バリア部材を開閉動作させるカメラのレンズバリア装置であって、前記付勢部材は、ねじりコイルバネであり、前記ねじりコイルバネのコイル部を前記バリア部材と係合させ、前記ねじりコイルバネの一方の端部を前記地板に、他方の端部を前記バリア駆動部材に張設したことを特徴とするカメラのレンズバリア装置。
【００１３】
２）前記バリア部材は前記地板に形成された支軸に軸支され、前記ねじりコイルバネの一方の端部を前記支軸に張設した１）のカメラのレンズバリア装置。
【発明の効果】
【００１４】
上記１）の発明によれば、新たな部品を追加せずにオーバーチャージ量を吸収できるバリア装置を得ることができ、これにより低コスト、薄型で、耐久性に富んだ信頼性に優れるカメラのバリア装置を得ることが可能になる。
【００１５】
上記２）の発明によれば、コイル部と支軸に張設する端部の距離が変化せず、このため端部の形状を支軸を取り囲むよう形成することができ、ねじりコイルバネの脱落等の問題を解消したカメラのバリア装置を得ることができる。
【発明を実施するための最良の形態】
【００１６】
以下、実施の形態により本発明を詳しく説明するが、本発明はこれに限定されるものではない。
【００１７】
図１は、本発明の実施の形態に係るレンズバリア装置１０の分解斜視図である。同図は、レンズ鏡胴の前端部に配置されたレンズバリア装置のみを抜き出し、分解斜視図としたものである。
【００１８】
同図において、１は地板、２はバリア部材、３はバリア駆動部材、４は付勢部材であるねじりコイルバネである。５は沈胴時にバリア駆動部材３に係合してバリア駆動部材３を回動させるよう形成された、係合部材である。
【００１９】
地板１には、撮影光束が通過する開口部１ｋ、２枚のバリア部材２をそれぞれ軸支する支軸となるボス１ｂ、バリア駆動部材３の回動のガイド部であるガイド壁１ｈが形成されている。ボス１ｂには、バリア部材２に形成された穴部２ｈが挿入され、このボス１ｂを軸としてバリア部材２が回動し、開口部１ｋを開閉するよう構成されている。バリア部材２には、穴部２ｈとボス２ｂが形成されている。バリア駆動部材３の外周部は、地板１のガイド壁１ｈの内壁に嵌合して組み込まれ、このガイド壁１ｈにガイドされて回動可能となっている。バリア駆動部材３には、ボス３ｂと係合部材５と係合するボス３ｋが形成されている。
【００２０】
付勢部材であるねじりコイルバネ４は、コイル部をバリア部材２と係合させ、ねじりコイルバネ４の一方の端部は地板１に形成されたボス１ｂに張設し、他方の端部はバリア駆動部材３に形成されたボス３ｂに張設して、組み立てられる。
【００２１】
また、バリア駆動部材３に形成されたボス３ｋは、図示しないレンズ鏡胴が繰り出されているときは係合部材５と離間し、沈胴する際にボス３ｋの側面と、係合部材５に形成された傾斜面５ｓが係合して、バリア駆動部材３を回動させるようになっている。
【００２２】
以上が、本実施の形態に係るレンズバリア装置の構成である。
【００２３】
以下に、ねじりコイルバネ４の自由時のバネ形状及びレンズバリア装置の開閉作動について説明する。
【００２４】
図２は、付勢部材であるねじりコイルバネ４の自由時のバネ形状の一例を示す図である。同図（ａ）は正面図、同図（ｂ）は側面図である。
【００２５】
同図に示す、ねじりコイルバネ４は、組み込まれた際には、バリア駆動部材の位置に関わらず、常にバリア部材を開方向に付勢するように、同図（ａ）の正面図に示す２つの端部は、破線で示す、図示左方向に曲げられた状態で組み付けられる。
【００２６】
図３は、本実施の形態に係るレンズバリア装置１０の、バリア部材２が開いたときの各部の状態を示す平面図である。この状態は、図示しないレンズ鏡胴が繰り出され、バリア駆動部材３に形成されたボス３ｋと係合部材５（図１参照）は離間したときのものである。
【００２７】
同図に示すように、バリア部材２が開いたときの各部の状態は、ねじりコイルバネ４のコイル部がバリア部材２のボス２ｂと係合され、ねじりコイルバネ４の一方の端部を地板１に形成されたバリア部材２の支軸であるボス１ｂ、他方の端部をバリア駆動部材３に形成されたボス３ｂに張設され、バリア部材２を開方向に付勢するようにねじりコイルバネ４が掛けられている。このため、ボス３ｋと係合部材５（図１参照）が離間した状態では、ねじりコイルバネ４の付勢力により、バリア駆動部材３はガイド壁１ｈに形成されたストッパー部１ｓに当接させられて停止し、ボス１ｂとボス３ｂの中間のコイル部は、地板１のボス１ｂに対し半時計方向に回動し、コイル部で係合するバリア部材２は支軸であるボス１ｂを中心に開方向に回動して図示の状態となる。これにより、開口部１ｋを被写体光束が通過できるようになる。
【００２８】
なお、バリア部材２が開状態の時、バリア駆動部材３をガイド壁１ｈに形成されたストッパー部１ｓに当接させて停止させる構成で説明したが、地板１に形成したストッパー部１ｔにバリア部材２が開状態で当接して停止するよう構成し、このときバリア駆動部材３はストッパー部１ｓと微小な隙間を有して停止するように構成してもよい。
【００２９】
図４は、本実施の形態に係るレンズバリア装置１０の、バリア部材２が閉じたときの各部の状態を示す平面図である。
【００３０】
同図は、図３に示した状態から、図示しないレンズ鏡胴が沈胴し、バリア駆動部材３に形成されたボス３ｋと係合部材５（図１参照）が係合し、これによりボス３ｋが図示矢印方向に回動させられた状態を示している。
【００３１】
同図に示すように、ボス３ｋが図示矢印方向に回動させられることにより、ボス３ｂはねじりコイルバネ４の付勢力に抗して、図示の如く反時計方向に回動させられる。これにより、ボス１ｂとボス３ｂの中間のコイル部は、ボス１ｂに対し時計方向に回動させられ、コイル部で係合するバリア部材２は支軸であるボス１ｂを中心に閉方向に回動させられ、バリア部材２が相互に当接した閉状態となる。これにより、開口部１ｋは、バリア部材２により遮蔽される。
【００３２】
この閉状態から、更にバリア駆動部材３のボス３ｋは係合部材５（図１参照）により破線で示す位置までオーバーチャージされる。このオーバーチャージにより、ボス３ｂは破線で示す位置まで回動させられる。この実線で示すボス３ｂの位置から破線で示すボス３ｂの位置へのオーバーチャージによる回動に際しては、バリア部材２は互いに当接して移動できず、ねじりコイルバネ４が、ボス２ｂとボス３ｂの間で変形することで、ボス３ｂのオーバーチャージ分を吸収することになる。
【００３３】
また、図４に示す閉状態から、図３に示す開状態へは、図示しないレンズ鏡胴が繰り出され、バリア駆動部材３に形成されたボス３ｋと係合部材５（図１参照）が離間することで、ねじりコイルバネ４の開方向への付勢力により、図３に示す開状態となる。
【００３４】
以上説明したように、付勢部材に、ねじりコイルバネを用い、ねじりコイルバネのコイル部をバリア部材に係合させ、ねじりコイルバネの一方の端部を、バリア部材を支持する地板に張設し、他方の端部をレンズ鏡胴の移動によって回動させられるバリア駆動部材に張設して、バリア部材を開方向に付勢することにより、新たな部品を追加せずにオーバーチャージを吸収できるバリア装置を得ることができ、これにより低コスト、薄型のカメラのバリア装置を得ることが可能になる。
【００３５】
加えて、オーバーチャージを吸収する部材が、バネであるため耐久性に富み、信頼性に優れたカメラのバリア装置とすることが可能になる。
【００３６】
また、バリア部材を支持する支軸に、ねじりコイルバネの一方の端部を張設するようにすることで、コイル部と支軸に張設する端部の距離が変化せず、このため端部の形状を支軸を取り囲むよう形成することができ、ねじりコイルバネの脱落等の問題を解消できる。
【００３７】
なお、上記の実施の形態では、バリア部材を支持する支軸に、ねじりコイルバネの一方の端部を張設したもので説明したが、地板の他の部位にねじりコイルバネの一方の端部を張設したもの等の変形例も本発明を逸脱するものでない。
【００３８】
図５は、ねじりコイルバネの形状のその他の例を示す図である。同図（ａ）、（ｂ）、（ｃ）に示すように、ねじりコイルバネの形状は、各種の変形例が適用可能である。また、端部は図示しないがストレート、１段曲げ、２段曲げ、フック等を地板及びバリア駆動部材との相対位置関係により適宜選択して適用するのは勿論である。
【図面の簡単な説明】
【００３９】
【図１】本発明の実施の形態に係るレンズバリア装置の分解斜視図である。
【図２】付勢部材であるねじりコイルバネの自由時のバネ形状の一例を示す図である。
【図３】本実施の形態に係るレンズバリア装置の、バリア部材が開いたときの各部の状態を示す平面図である。
【図４】本実施の形態に係るレンズバリア装置の、バリア部材が閉じたときの各部の状態を示す平面図である。
【図５】ねじりコイルバネの形状のその他の例を示す図である。
【符号の説明】
【００４０】
１  地板
２  バリア部材
３  バリア駆動部材
４  ねじりコイルバネ
５  係合部材
１０  レンズバリア装置
【図１】
2006171405.tif 000003
【図２】
2006171405.tif 000004
【図３】
2006171405.tif 000005
【図４】
2006171405.tif 000006
【図５】
2006171405.tif 000007